(57)【要約】      （修正有）【課題】多様な角度に交差した壁面の角や展示場など、需要に応じて設けることができ、増設することができるオープンラックを提供する。【解決手段】中心を６等分した外周面に凸部を形成した桿体１０と、該桿体の外側に設けられるカセットと、物を載せるベース３０とを含んでなり、該凸部は、桿体の外周面から中心へ向かうに従って幅が狭くなるように接続部を形成し、隣接する接続部は弧状を呈した面で接続され、凸部表面には直列に複数の環状溝が形成される。【選択図】図４
0003104488.tif 000002
【実用新案登録請求の範囲】
【請求項１】
中心を６等分した外周面に凸部を形成した桿体と、
該桿体の外側に設けられるカセットと、
物を載せるベースとを含んでなり、
該凸部は、桿体の外周面から中心へ向かうに従って幅が狭くなるように接続部を形成し、隣接する接続部は弧状を呈した面で接続され、凸部表面には直列に複数の環状溝が形成されることを特徴とするオープンラック。
【請求項２】
前記凸部は、２つの凸部を１組として設けるか、或いは１つの凸部を１組として複数のカセットやベースと組み合わせて形成することを特徴とする請求項１に記載するオープンラック。
【請求項３】
該桿体は、水平方向に桿体を中心として３６０度の角度まで組み合わせることができることを特徴とする請求項１に記載するオープンラック。
【請求項４】
該桿体は、桿体を中心として少なくとも３つ以上の凸部を設けることができることを特徴とする請求項１に記載するオープンラック。
【考案の詳細な説明】
【技術分野】
【０００１】
この考案は、オープンラックに関し、特に商品の展示や、物を収納することができるオープンラックに関する。
【背景技術】
【０００２】
従来の組み立て式ラックを図１に開示する。図示によると、従来のラック１は、環状の孔部を穿設した桿体挿通筒１を具えたベース２と、桿体３と、該桿体の上・下方に嵌合する半円状のものを２つ合わせて使用するカセット４とを含んでなり、該カセット４を桿体３に嵌合後、必ず該底部に貼着させる一端から桿体３を挿通筒１の孔部に挿入してベースと桿体を組み合わせる。 
【０００３】
しかし、従来のオープンラックは左、右、前、後にラックを付け加えたい場合、桿体３を底部に貼着する一端から挿入しなければならないため、組み立てた部分の一部を分解してからでなければラックを増設することができず、実用的でなかった。 
【０００４】
そこで図２に、改良されたオープンラックを開示する。図示によると、物を載せることができるベース５を取り付けたカセット抱持部はめ込み片６と、該ベース５に取り付けたカセット抱持部はめ込み片６に嵌合するカセット抱持部７と、該カセット抱持部７に嵌合するカセット８に挿入する桿体９とを含んでなる。該桿体は対向する側面を平面状、或いは円形に形成する。該平面状或いは円形に形成した側面の両端縁部に長い棒状の溝を８Ａ形成し、溝の間には幅の狭い接続部を形成する。且つ、両溝上には等間隔に複数の水平な穿設槽、或いは凹部を形成する。オープンラックを組み立てる場合、カセットの突起が形成された側面を桿体に嵌合させ、該カセットのもう一方の側面をベースに設けられた半円状のリングに嵌合させる。また、オープンラックを増設したい場合には、桿体の一方の側面にカセットとベースを設ければよく、分解することなく、好みに応じて増設することができる。 
【０００５】
しかし、上述した従来のオープンラックは左右、前後にラックを増設することができるが、特殊な場所や、特殊な角度に形成された壁面のある場所などでは使用することができない。 
【考案の開示】
【考案が解決しようとする課題】
【０００６】
この考案は、多様な角度に交差した壁面の角や展示場など、需要に応じて設けることができ、増設することができるオープンラックを提供することを課題とする。
【課題を解決するための手段】
【０００７】
そこで、本考案の考案者は従来の技術に見られる欠点に鑑みて鋭意研究を重ねた結果、中心を６等分した外周面に凸部を形成した桿体と、該桿体の外側に設けられるカセットと、物を載せるベースとを含んでなり、該凸部は、桿体の外周面から中心へ向かうに従って幅が狭くなるように接続部を形成し、隣接する接続部は弧状を呈した面で接続され、凸部表面には直列に複数の環状溝が形成する構造によって課題を解決できる点に着眼し、かかる知見に基づいて本考案を完成させた。 
【０００８】
以下、この考案について具体的に説明する。 
請求項１に記載するオープンラックは、中心を６等分した外周面に凸部を形成した桿体と、該桿体の外側に設けられるカセットと、物を載せるベースとを含んでなり、該凸部は、桿体の外周面から中心へ向かうに従って幅が狭くなるように接続部を形成し、隣接する接続部は弧状を呈した面で接続され、凸部表面には直列に複数の環状溝が形成される。 
【０００９】
請求項２に記載するオープンラックは、凸部が２つの凸部を１組として設けるか、或いは１つの凸部を１組として複数のカセットやベースと組み合わせて形成する。 
【００１０】
請求項３に記載するオープンラックは、桿体が水平方向に桿体を中心として３６０度の角度まで組み合わせることができる。 
【００１１】
請求項４に記載するオープンラックは、桿体が桿体を中心に３つ以上の凸部を設けることができる。
【考案の効果】
【００１２】
この考案のオープンラックは、多様な角度に交差した壁面の角や展示場など、需要に応じて設けることができ、増設することができる効果を有する。
【考案を実施するための最良の形態】
【００１３】
この考案は、多様な角度に交差した壁面の角や展示場など、需要に応じて設けることができ、増設することができるオープンラックを提供するものであって、中心を６等分した外周面に凸部を形成した桿体と、該桿体の外側に設けられるカセットと、物を載せるベースとを含んでなり、該凸部は、桿体の外周面から中心へ向かうに従って幅が狭くなるように接続部を形成し、隣接する接続部は弧状を呈した面で接続され、凸部表面には直列に複数の環状溝が形成される。 
かかるオープンラックの構造と特徴を詳述するために具体的な実施例を挙げ、図示を参照にして以下に説明する。
【実施例】
【００１４】
図３に開示するように、この考案のオープンラックは桿体（１０）と、カセット（２０）と、ベース（３０）とを含んでなる。 
１．桿体（１０）は、中心を６等分した外周面にベース（３０）に組み合わせる凸部（１１）を形成する。該凸部（１１）は桿体（１０）の外周面から中心へ向かうに従って幅が狭くなるように接続部（１１１）を形成する。隣接する凸部（１１）の接続部（１１１）は弧状を呈した面で接続される。また、凸部（１１）表面には直列に複数の溝（１２）が形成される。該溝（１２）の幅はカセット（２０）の内側面に設けられた突起（２１）を嵌合する幅に形成する。 
２．カセット（２０）は、桿体（１０）の凸部（１１）外側に設けられるように半円状で側面の端縁部が内側に傾斜した形状を呈するように形成する。両端縁面は接続部（１１１）に嵌合するように内側に傾斜して形成される。内壁面には突出した突起（２１）が設けられ、桿体（１０）の凸部（１１）に形成された溝（１２）に嵌合する。 
３．ベース（３０）は、物をのせることができる網状のフレームで、該ベース（３０）の四角には突起（２１）の外周面の形状にそったリング（３１）を嵌合する。 
上記３つの部品を組み立てる場合、先にカセット（２０）を桿体（１０）の凸部（１１）に嵌合する。またその内壁面の突起（２１）は凸部（１１）の溝（１２）に嵌合して、凸部（１１）に固定する。また、重力を受けて、分解することを防ぐため、ベース（３０）の四角に形成されたリング（３１）をカセット（２０）の上に嵌合させる。カセット（２０）の外周面に形成された斜面の斜度は図４に開示するように、ベース（３０）に重量物を載せてもカセット（２０）が滑り落ちたりしないようにリング（３１）と緊密に合わさるように形成されている。 
【００１５】
また、桿体（１０）は６つの凸部（１１）により重量を支えている。２つの凸部（１１）は１組、或いは１つの凸部（１１）は１組として複数のカセット（２０）やベース（３０）と組み合わせてラックを形成する。よって、ラックの水平面は組み立ての角度に向かって少なくとも桿体（１０）を中心として３０度の特殊角度に変化でき、３６０度の角度の環状体に組み立てを変化することができる。 
【００１６】
桿体（１０）はラックの組み合わせを変化させることができる。ラックは増設して設けることができ、図５に開示するように水平な２つの方向に組み合わせたり、或いは図６に開示するように一部分だけを組み合わせて対向するように設けたり、図７に開示するように間に２つのラックの間に３角形を形成するように設けたり、図８に開示するように３つのラックを組み合わせて設けるなど、多様な組み合わせをすることができる。 
【００１７】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。 
【図面の簡単な説明】
【００１８】
【図１】従来のオープンラックを示した部分拡大図である。
【図２】従来のオープンラックの別の実施例を示した部分拡大図である。
【図３】この考案のオープンラックを示した部分拡大図である。
【図４】図３に開示するオープンラックを示した斜視図である。
【図５】図３に開示するオープンラックを水平に組み合わせた斜視図である。
【図６】図３に開示するオープンラックを組み合わせた場合の斜視図である。
【図７】図３に開示するオープンラックを組み合わせた場合の斜視図である。
【図８】図３に開示するオープンラックを組み合わせた場合の斜視図である。
【符号の説明】
【００１９】
１０  桿体 
１１  凸部 
１１１  接続部 
１２  溝     
２０  カセット   
２１  突起   
３０  ベース 
３１  リング     
【図１】
0003104488.tif 000003
【図２】
0003104488.tif 000004
【図３】
0003104488.tif 000005
【図４】
0003104488.tif 000006
【図５】
0003104488.tif 000007
【図６】
0003104488.tif 000008
【図７】
0003104488.tif 000009
【図８】
0003104488.tif 000010